(57)【要約】【課題】媒体がバックアッププレート上から引き取られて装置内へ取り込まれる際にジャムや斜行が生じることを防止する。【解決手段】垂直方向の長さが短く媒体搬送方向に所定の長さを有する媒体ガイド１０の一端を支持体１１で支持して、媒体搬送方向と平行にかつバックアッププレート３上の媒体１に対して接近、離反する方向に移動できるようにし、媒体給送時に媒体ガイド１０を媒体１側に移動させてバックアッププレート３の設置面より上方の位置で媒体１に接触させるようにした。【選択図】        図１
2007076873.tif 000002
【特許請求の範囲】
【請求項１】
所定角度傾斜を持って媒体搬送方向に移動可能としたバックアッププレートと、前記バックアッププレート設置面上の一側内側に配置した取り込みローラを備え、
前記バックアッププレート上にその傾斜に沿ってセットした媒体を、前記取り込みローラにより引き取って処理装置内に給送する媒体給送機構において、
垂直方向の長さが短く媒体搬送方向に所定の長さを有する媒体ガイドと、
前記バックアッププレートの他側外側で前記媒体ガイドが媒体搬送方向と平行になるようにその一端を支持した支持体と、
該支持体と共に前記媒体ガイドを前記バックアッププレート上の媒体に対して接近、離反する方向に移動させる移動手段を備え、
媒体給送時に前記媒体ガイドを前記媒体側に移動させてバックアッププレートの設置面より上方の位置で前記媒体ガイドを媒体に接触させることを特徴とする媒体給送機構。
【請求項２】
請求項１記載の媒体給送機構において、
前記バックアッププレートの設置面より上方に浮き上がるように前記媒体ガイドの一端を支持体で支持したことを特徴とする媒体給送機構。
【請求項３】
請求項１記載の媒体給送機構において、
前記媒体ガイドの媒体側の面を山形に形成し、この山形面の頂部が媒体に線接触するようにしたことを特徴とする媒体給送機構。
【請求項４】
請求項１記載の媒体給送機構において、
前記媒体ガイドに弾性を持たせたことを特徴とする媒体給送機構。
【請求項５】
請求項４記載の媒体給送機構において、
前記媒体ガイドの支持体と反対側の端部を前記バックアッププレートの他側から離れた位置に固定したことを特徴とする媒体給送機構。
【発明の詳細な説明】
【技術分野】
【０００１】
本発明は、媒体給送機構に関するもので、特にローラによりバックアッププレート上の媒体を１枚ずつ取り出して処理装置内に給送する媒体給送機構に関するものである。
【背景技術】
【０００２】
例えば、医療機関が健康保険組合等に診療報酬を請求する書類としてＡ４サイズ程度のレセプトと呼ばれる媒体（帳票）が使用されるが、医療機関により媒体のサイズに若干の差があり、また、このような診療報酬請求用の媒体には続紙と呼ばれる小さな用紙が糊付け等により貼付されることがある。
この種の媒体には、光学文字認識（ＯＣＲ）用の印刷エリアがあって、健康保険組合等では各医療機関から提出された媒体の印刷エリアをＯＣＲ装置で光学的に読み取って文字認識することにより、例えば医療科目毎に分類すること等が行われている。
【０００３】
このようなＯＣＲ装置等の処理装置に媒体を給送する従来の媒体給送機構として、例えば、特許文献１に示されるものがある。
図９は従来の媒体給送機構を示す側面図、図１０は同じく従来の媒体給送機構を示す平面図である。
図において１は中央部に続紙１ａを貼付した媒体である。
【０００４】
２はホッパ、３はバックアッププレートで、このバックアッププレート３は前端が下側、後端が上側になるように所定の角度傾斜した姿勢でホッパ２上面に保持され、図示しないガイドシャフトに沿って前後方向（媒体搬送方向とその逆の方向）に移動可能になっている。
また、バックアッププレート３の幅は、媒体１の長手方向の長さとほぼ同等で、ホッパ２の幅よりはやや小さく設定されており、その一側はホッパ２の一側面と殆ど隙間を生じないようにしてあるが、バックアッププレート３の他側とホッパ２の他側面との間には所定の寸法の隙間４が形成され、複数枚の媒体１をその短手方向を搬送方向としてバックアッププレート３上に重ねてセットしたとき、各媒体１のサイズのバラツキを隙間４で吸収できるようになっている。
【０００５】
５は補助ローラで、バックアッププレート３の設置面であるホッパ２上面の一側内側の位置に設けられた補助ローラで、この補助ローラ５は自重によりバックアッププレート３上の媒体１と接触して、媒体１がその搬送方向と直行する方向にずれるのを防止している
６は第１の取り込みローラ、７は第２の取り込みローラで、第１の取り込みローラ６はホッパ２上面の一側内側において補助ローラ５前方(媒体搬送方向の下流側)に配置され、第２の取り込みローラ７は更に前方に配置されている。
【０００６】
８は搬送ローラで、媒体１の長手方向全域をカバーできるように同軸上に複数設けられており、第２の取り込みローラ７の前方において媒体１の搬送方向と直交する方向に並ぶように配置されている。
９は搬送ローラ８の下側に該搬送ローラ８と対向するように設けられたプレッシャローラで、同軸上に複数設けられており、搬送ローラ８との間に媒体１を挟持するものとなっている。
【０００７】
この構成において図示しないモータ等を駆動して第１の取り込みローラ６、第２の取り込みローラ７、及び搬送ローラ８を図９に矢印で示した時計方向に回転させると、第１の取り込みローラ６に接触している１枚目の媒体１が、該第１の取り込みローラ６に引き取られ、第２の取り込みローラ７に送られる。
そして、媒体１はこの第２の取り込みローラ７の回転により搬送ローラ８とプレッシャローラ９の間に送り込まれ、長手方向全体が搬送ローラ８とプレッシャローラ９とで挟持されて、搬送ローラ８の回転により装置内へと搬送されてゆく。
【０００８】
２枚目以降も同様の動作で媒体１は装置内に搬送され、そしてバックアッププレート３上の媒体１の枚数が減るにつれて、バックアッププレート３は図示しない付勢手段等により前進して第１の取り込みローラ６側へ近づいてゆく。
【特許文献１】特開２００４−１１５２２７（段落「００３０」、「００３８」〜段落「００４１」、図５、図６）
【発明の開示】
【発明が解決しようとする課題】
【０００９】
しかしながら、上述した従来の技術においては、以下の問題がある。
図１１は従来の技術の問題を示す図で、バックアッププレート３上にセットされた媒体１に続紙１ａが貼付された媒体１が多く含まれる場合、続紙１ａの貼付位置によりバックアッププレート３上の媒体１の厚みや重量バランスが不均一となり、そのため、図９に示したように媒体１が補助ローラ５を中心にして矢印で示す方向に回転してバックアッププレート３上から崩れ落ちるような状態を生じ、その結果、この媒体１を装置内へ取り込む際にジャムや斜行を生じるという問題がある。
【００１０】
本発明は、このような問題を解決することを課題とする。
【課題を解決するための手段】
【００１１】
そのため、本発明は、所定角度傾斜を持って媒体搬送方向に移動可能としたバックアッププレートと、前記バックアッププレート設置面上の一側内側に配置した取り込みローラを備え、前記バックアッププレート上にその傾斜に沿ってセットした媒体を、前記取り込みローラにより引き取って処理装置内に給送する媒体給送機構において、垂直方向の長さが短く媒体搬送方向に所定の長さを有する媒体ガイドと、前記バックアッププレートの他側外側で前記媒体ガイドが媒体搬送方向と平行になるようにその一端を支持した支持体と、該支持体と共に前記媒体ガイドを前記バックアッププレート上の媒体に対して接近、離反する方向に移動させる移動手段を備え、媒体給送時に前記媒体ガイドを前記媒体側に移動させてバックアッププレートの設置面より上方の位置で前記媒体ガイドを媒体に接触させることを特徴とする。
【発明の効果】
【００１２】
このようにした本発明は、バックアッププレート上にセットされた媒体に続紙が貼付された媒体が多く含まれていて、続紙の貼付位置によりバックアッププレート上の媒体の厚みや重量バランスが不均一となっている場合でも、媒体は媒体ガイドの接触により押さえられているため、バックアッププレート上から崩れ落ちるような状態が生じることが防止され、また、媒体に対する媒体ガイドの接触部分が小さく、媒体の搬送に対する大きな抵抗力を生じることもないので、媒体がバックアッププレート上から引き取られて装置内へ取り込まれる際にジャムや斜行が生じることを防止できるという効果が得られる。
【発明を実施するための最良の形態】
【００１３】
以下、図面を参照して本発明による媒体給送機構の実施例を説明する。
【実施例】
【００１４】
図１は実施例を示す側面図、図２は同じく実施例を示す平面図、図３は実施例で使用される媒体ガイドの斜視図である。
図において１は続紙１ａを貼付した媒体、２はホッパ、３はバックアッププレート、５は補助ローラ、６は第１の取り込みローラ、７は第２の取り込みローラ、８は搬送ローラ、９はプレッシャローラで、これらは従来のものに相当し、従来と同様に構成されている。
【００１５】
尚、補助ローラ５は図では２個設けているが、これに限定されるものではない
１０は垂直方向の長さが短くかつ水平方向の長さ長尺矩形板状の媒体ガイドで、この媒体ガイド１０は、図３に示したように一端を支持体１１に固定することで、支持体１１に片持ち梁状に支持され、図１に示したようにバックアッププレート３の設置面であるホッパ２の上面から一定の高さ浮き上がるようにしてある。
【００１６】
そして、この媒体ガイド１０は、バックアッププレート３の他側外側の位置で、自由端が媒体搬送方向と逆の方向に延びる向きにして媒体１の搬送方向と平行になるように配置されている。
１２は移動手段で、この移動手段１２により媒体ガイド１０は支持体１１と一体に媒体１の搬送方向と直交する方向に移動できるようになっていて、これにより媒体ガイド１０はバックアッププレート３上の媒体１に対して接近、離間できるようになっている。
【００１７】
１３は第２の取り込みローラ７の下側に該第２の取り込みローラ８と対向するように設けられた分離ローラで、第１の取り込みローラ６により媒体１が例えば２枚送りされたとき、２枚目の媒体１を第１の取り込みローラ６側に戻すように回転するものとなっている。
上述した構成の作用について説明する。
【００１８】
図１に示したように、複数枚の媒体１をその短手方向を搬送方向としてホッパ２上で傾斜しているバックアッププレート３上にその傾斜に沿うように重ねてセットし、移動手段１２により媒体ガイド１０を媒体１の方向に移動させると、媒体ガイド１０はホッパ２の上面から一定の高さ上方の位置において垂直方向の短い長さＬで媒体１の他側に接触する。
【００１９】
このときバックアッププレート３上にセットされた媒体１に続紙１ａが貼付された媒体１が多く含まれていて、続紙１の貼付位置によりバックアッププレート３上の媒体１の厚みや重量バランスが不均一となっている場合でも、媒体１は媒体ガイド１０の接触により押さえられているため、補助ローラ５を中心に回転してバックアッププレート３上から崩れ落ちるような状態が生じることが防止される。
【００２０】
この状態で図示しないモータ等を駆動して第１の取り込みローラ６、第２の取り込みローラ７、分離ローラ１３、及び搬送ローラ８を図１に矢印で示した時計方向に回転させると、第１の取り込みローラ６に接触している媒体１が、該第１の取り込みローラ６に引き取られ、第２の取り込みローラ７と分離ローラ１３との間に送られる。
そして、この第２の取り込みローラ７と分離ローラ１３の回転により１枚の媒体１が搬送ローラ８とプレッシャローラ９の間に送り込まれ、長手方向全体が搬送ローラ８とプレッシャローラ９とで挟持されて、搬送ローラ８の回転により装置内へと搬送されてゆく。
【００２１】
２枚目以降も同様の動作で媒体１は装置内に搬送され、そしてバックアッププレート３上の媒体１の枚数が減るにつれて、バックアッププレート３は図示しない機構により前進して第１の取り込みローラ６側へ近づいてゆく。
このようにして、媒体１の取り込みが行われるが、第１の取り込みローラ６及び第２の取り込みローラ７により媒体１がバックアッププレート３上から引き取られて送られる際、媒体ガイド１０はホッパ２の上面から一定の高さ上方の位置において垂直方向の短い長さＬで媒体１の他側に接触しているだけであるので、媒体ガイド１０と媒体１との間に大きな摩擦力を生じることがなく、つまり媒体ガイド１０が媒体１の搬送に対して大きな抵抗力を生むことはなく、媒体１の取り出し搬送がスムーズに行われる。
【００２２】
以上説明した実施例によれば、バックアッププレート３上にセットされた媒体１に続紙１ａが貼付された媒体１が多く含まれていて、続紙１ａの貼付位置によりバックアッププレート３上の媒体１の厚みや重量バランスが不均一となっている場合でも、媒体１は媒体ガイド１０の接触により押さえられているため、補助ローラ５を中心に回転してバックアッププレート３上から崩れ落ちるような状態が生じることが防止され、また、媒体１に対する媒体ガイド１０の接触部分が小さく、媒体１の搬送に対する大きな抵抗力を生じることもないので、媒体１がバックアッププレート３上から引き取られて装置内へ取り込まれる際にジャムや斜行が生じるのを防止できるという効果が得られる。
【００２３】
尚、上述した実施例では、長尺矩形板状の媒体ガイド１０を用いる場合を例にして説明したが、これに限られるものではなく、例えば図４及び図５のような形状にすることも可能である。
すなわち、図４及び図５は媒体ガイドの別の例を示す斜視図で、図４に示した媒体ガイド１４は、垂直方向の高さを支持体の高さと同寸法の長さとし、帳票と接触する側の面１４ａを円弧形または三角形等の山形に形成したもので、また図５に示した媒体ガイド１５は、媒体ガイド１０と同様に垂直方向の長さを短い長さとしてホッパ２の上面から一定の高さ浮き上がるように支持体１１に取り付け、媒体１と接触する側の面１５ａを円弧形または三角形等の山形に形成したものである。
【００２４】
このような媒体ガイド１４または媒体ガイド１５を用いれば、各々の山形面１４ａまたは１５ａの頂部がホッパ２の上面より上方の位置で媒体１と線接触するだけとなり、媒体１との摩擦力はより小さくなるので、媒体１がバックアッププレート３上から引き取られて装置内へ取り込まれる際の搬送動作をより安定させることができるという効果が得られる。
【００２５】
また、この他としては、媒体ガイド１０の板厚を薄くしたり、素材を選択することで、媒体ガイド１０に弾性を持たせることが考えられる。
このように媒体ガイド１０に弾性を持たせることで、例えばバックアッププレート３上の複数枚の媒体１が続紙１ａによりバランスを崩し、図２に矢印で示したように補助ローラ５を中心に反時計方向に回転するような挙動を生じた場合、媒体ガイド１０の自由端側が撓んで媒体１を受け止めるため、媒体１の座屈を防止することができ、これにより媒体１のよりスムーズな取り込みが可能になる。
【００２６】
無論、図４及び図５に示す媒体ガイド１４や媒体ガイド１５に弾性を持たせても同様の効果が得られる。
図６は媒体ガイドの更に別の例を示す平面図で、この例では弾性を持たせた媒体ガイド１０の他端、つまり支持体１１に固定した端部と反対側の端部をバックアッププレート３の他側から離れた位置にあるホッパ２の他側面に固定したものとする。
【００２７】
このようにした場合、移動手段１２により媒体ガイド１０を支持体１１と共に破線で示す位置からバックアッププレート３上にセットされた媒体１の方向に移動させると、その移動に伴って媒体ガイド１０は実線で示したように他端側が撓むが、媒体ガイド１０は他端側以外の部分で図１の場合と同様にホッパ２の上面から一定の高さ上方の位置において垂直方向の短い長さＬで媒体１の他側に接触する。
【００２８】
従って、バックアッププレート３上の複数枚の媒体１が続紙１ａによりバランスを崩し、図２に矢印で示したように補助ローラ５を中心に反時計方向に回転するような挙動を生じた場合、媒体ガイド１０の他端側で媒体１の崩れが少し生じるが、媒体１が第１の取り込みローラ６の回転によりに引き取られ、第２の取り込みローラ７と分離ローラ１３との間に送られてゆくに従って、媒体１は媒体ガイド１０の形状に従って矯正され、媒体ガイド１０の支持体１１側で正常な状態に戻されて、更に搬送ローラ８とプレッシャローラ９の間に送り込まれてゆく。
【００２９】
このように媒体１を１枚ずつ取り込むことによりバックアッププレート３上の媒体１が減少すると、取り込みの途中で媒体１の補充が必要になることがある。
図７及び図８はこの場合の媒体補充動作を示す側面図である。
この場合、図７に示したようにバックアッププレート３を図示しない付勢手段に抗して媒体１の搬送方向と逆の方向に後退させ、媒体１をバックアッププレート３上に補充するが、このときバックアッププレート３を媒体ガイド１０の他端側つまり媒体ガイド１０が撓んで媒体１が接触しない位置で補充ができるので、容易に補充操作を行うことが可能となる。
【００３０】
そして補充後、バックアッププレート３を図８に示すように媒体１の搬送方向と同じ方向に前進移動させると、補充された媒体１は媒体ガイド１０の形状に従って進み、媒体ガイド１０の支持体１１側で正常な状態となる。
従って、このように媒体ガイド１０を撓ませることで、媒体１のスムーズな取り込みが可能になるだけでなく、媒体１の補充が容易になるという効果が得られる。
【図面の簡単な説明】
【００３１】
【図１】実施例を示す側面図
【図２】実施例を示す平面図
【図３】実施例で用いる媒体ガイドの例を示す斜視図
【図４】媒体ガイドの別の例を示す斜視図
【図５】媒体ガイドの別の例を示す斜視図
【図６】媒体ガイドの別の例を示す斜視図
【図７】媒体の補充動作を示す側面図
【図８】媒体の補充動作を示す側面図
【図９】従来技術の側面図
【図１０】従来技術の平面図
【図１１】従来技術の問題点を示す平面図
【符号の説明】
【００３２】
１  媒体
１ａ  続紙
２    ホッパ
３    バックアッププレート
５    補助ローラ
６    第１の取り込みローラ
７    第２の取り込みローラ
８    搬送ローラ
９    プレッシャローラ
１０  媒体ガイド
１１  支持体
１２  移動手段
１３  分離ローラ
１４  媒体ガイド
１４ａ  山形面
１５  媒体ガイド
１５ａ  山形面
【図１】
2007076873.tif 000003
【図２】
2007076873.tif 000004
【図３】
2007076873.tif 000005
【図４】
2007076873.tif 000006
【図５】
2007076873.tif 000007
【図６】
2007076873.tif 000008
【図７】
2007076873.tif 000009
【図８】
2007076873.tif 000010
【図９】
2007076873.tif 000011
【図１０】
2007076873.tif 000012
【図１１】
2007076873.tif 000013